(57)【要約】【課題】機器が可能な動作を参照することができ、対応する動作を簡単かつ迅速に実行させることが可能な遠隔制御装置及び遠隔制御方法を提供すること。【解決手段】ネットワークに接続された１又は複数の機器のマニュアルに関するマニュアルデータと、マニュアルの表示内容に対応した操作信号データを読み出すデータ読み出し部１０２と、マニュアルデータに基づいて画面にマニュアルを表示する表示部１２４と、ユーザーからの操作を受け付け、画面に表示されたマニュアルの表示項目の少なくとも１つが選択されたとき、選択された表示項目に対応する操作信号を操作信号データに基づいて生成する操作部１２２と、生成された操作信号を、画面に表示されたマニュアルと対応した機器にネットワークを介して送信する送信部１３２とを有する。【選択図】図１
2010154273.tif 000002
【特許請求の範囲】
【請求項１】
ネットワークに接続された１又は複数の機器のマニュアルに関するマニュアルデータと、前記マニュアルの表示内容に対応した操作信号データを読み出すデータ読み出し部と、
前記マニュアルデータに基づいて画面に前記マニュアルを表示する表示部と、
ユーザーからの操作を受け付け、前記画面に表示された前記マニュアルの表示項目の少なくとも１つが選択されたとき、前記選択された表示項目に対応する操作信号を前記操作信号データに基づいて生成する操作部と、
前記生成された操作信号を、前記画面に表示された前記マニュアルと対応した前記機器に前記ネットワークを介して送信する送信部と、
を有する、遠隔制御装置。
【請求項２】
前記マニュアルデータの文字情報の少なくともいずれかが認識され、認識された内容に対応する操作信号が前記操作信号データから検出される、請求項１に記載の遠隔制御装置。
【請求項３】
前記機器から前記機器の状態に関する情報を受信する受信部を更に備え、
前記表示部は、前記受信した機器状態情報に基づいて、前記画面に前記機器の状態を表示する、請求項１又は２に記載の遠隔制御装置。
【請求項４】
前記表示部は、光を反射する素材が配置され、表示内容を電気的に並び替えることで反射する色を調整する電子ペーパーである、請求項１〜３のいずれかに記載の遠隔制御装置。
【請求項５】
前記操作部は、前記表示部の画面に重畳して設けられ、透明部材である、請求項１〜４のいずれかに記載の遠隔制御装置。
【請求項６】
ネットワークに接続された１又は複数の機器のマニュアルに関するマニュアルデータと、前記マニュアルの表示内容に対応した操作信号データを読み出すステップと、
前記マニュアルデータに基づいて画面に前記マニュアルを表示するステップと、
前記画面に表示された前記マニュアルの表示項目の少なくとも１つが選択されたとき、前記選択された表示項目に対応する操作信号を前記操作信号データに基づいて生成するステップと、
前記生成された操作信号を、前記画面に表示された前記マニュアルと対応した前記機器に前記ネットワークを介して送信するステップと、
を有する、遠隔制御方法。
【請求項７】
前記機器から前記機器の状態に関する情報を受信するステップと、
前記受信した機器状態情報に基づいて、前記画面に前記機器の状態を表示するステップと、
を更に有する、請求項６に記載の遠隔制御方法。
【発明の詳細な説明】
【技術分野】
【０００１】
本発明は、遠隔制御装置及び遠隔制御方法に関する。
【背景技術】
【０００２】
リモートコントローラ（遠隔制御装置）は、家庭用電気機器などの機器を制御するために用いられ、無線通信などを用いて各種機器を遠隔制御する。特許文献１〜４には、１つのリモートコントローラに対して複数の機器を制御することができる技術が開示されている。また、特許文献５、６には、タッチパネルを備えた表示部を有するリモートコントローラに関する技術が開示されている。
【０００３】
【特許文献１】国際公開第ＷＯ／２００３／０９８９６０号パンフレット
【特許文献２】特許第４０３６８２３号公報
【特許文献３】特開２００４−２５４０９３号公報
【特許文献４】特開２００７−１１０６２９号公報
【特許文献５】特開２００７−２９５５８４号公報
【特許文献６】特開２００８−１５３７３２号公報
【発明の開示】
【発明が解決しようとする課題】
【０００４】
ところで、家庭用電気機器などの電気機器は、近年、多機能化の傾向にある。そのため、１つの電気機器を操作するために、リモートコントローラには多数のボタンが配置されなければならない場合がある。一方、１つのリモートコントローラで複数の機器を操作可能にする場合、１つのリモートコントローラに全ての機能を集約化しようとすると、リモートコントローラのボタンの配置が複雑化するという問題があった。この問題を解消しようとすると、反対にリモートコントローラの機能を単純化する必要性が生じるという問題があった。
【０００５】
また、機器の多機能化の影響によって、取り扱い説明が記載されたマニュアルが厚くなったり、ユーザーにとって参照しにくくなったりしているという問題があった。更に、ユーザーがマニュアルの該当部分にたどりついたとしても、操作が複雑なため、希望する動作を簡単に実行させることができないという問題もあった。
【０００６】
そこで、本発明は、上記問題に鑑みてなされたものであり、本発明の目的とするところは、機器が可能な動作を参照することができ、対応する動作を簡単かつ迅速に実行させることが可能な、新規かつ改良された遠隔制御装置及び遠隔制御方法を提供することにある。
【課題を解決するための手段】
【０００７】
上記課題を解決するために、本発明のある観点によれば、ネットワークに接続された１又は複数の機器のマニュアルに関するマニュアルデータと、マニュアルの表示内容に対応した操作信号データを読み出すデータ読み出し部と、マニュアルデータに基づいて画面にマニュアルを表示する表示部と、ユーザーからの操作を受け付け、画面に表示されたマニュアルの表示項目の少なくとも１つが選択されたとき、選択された表示項目に対応する操作信号を操作信号データに基づいて生成する操作部と、生成された操作信号を、画面に表示されたマニュアルと対応した機器にネットワークを介して送信する送信部とを有する遠隔制御装置が提供される。
【０００８】
この構成により、ネットワークに接続された１又は複数の機器のマニュアルに関するマニュアルデータと、マニュアルの表示内容に対応した操作信号データが読み出され、マニュアルデータに基づいて画面にマニュアルが表示され、更に、画面に表示されたマニュアルの表示項目の少なくとも１つが選択されたとき、選択された表示項目に対応する操作信号が操作信号データに基づいて生成される。生成された操作信号は、画面に表示されたマニュアルと対応した機器にネットワークを介して送信される。
【０００９】
上記マニュアルデータの文字情報の少なくともいずれかが認識され、認識された内容に対応する操作信号が操作信号データから検出される。
【００１０】
上記機器から機器の状態に関する情報を受信する受信部を更に備え、表示部は、受信した機器状態情報に基づいて、画面に機器の状態を表示する。
【００１１】
上記表示部は、光を反射する素材が配置され、表示内容を電気的に並び替えることで反射する色を調整する電子ペーパーである。
【００１２】
上記操作部は、表示部の画面に重畳して設けられ、透明部材である。
【００１３】
また、上記課題を解決するために、本発明の別の観点によれば、ネットワークに接続された１又は複数の機器のマニュアルに関するマニュアルデータと、マニュアルの表示内容に対応した操作信号データを読み出すステップと、マニュアルデータに基づいて画面にマニュアルを表示するステップと、画面に表示されたマニュアルの表示項目の少なくとも１つが選択されたとき、選択された表示項目に対応する操作信号を操作信号データに基づいて生成するステップと、生成された操作信号を、画面に表示されたマニュアルと対応した機器にネットワークを介して送信するステップとを有する遠隔制御方法が提供される。
【００１４】
上記機器から機器の状態に関する情報を受信するステップと、受信した機器状態情報に基づいて、画面に機器の状態を表示するステップとを更に有する。
【発明の効果】
【００１５】
本発明によれば、機器が可能な動作を参照することができ、対応する動作を簡単かつ迅速に実行させることができる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
（一実施形態の構成）
まず、本発明の一実施形態に係る遠隔制御システムについて説明する。図１は、本実施形態に係る遠隔制御システムの構成を示す説明図である。
【００１８】
本実施形態では、１つのリモートコントローラ１００に対して複数の機器を操作することができる。リモートコントローラ１００は遠隔制御装置の一例である。図１に示す例では、操作対象機器として、例えば、テレビ受像機４０、照明器具５０、エアコン（エアーコンディショナー）６０、ＤＶＤやハードディスクドライブなどのメディアにデータを記録することが可能なメディアレコーダー８０など、１つの家庭内に設置される機器の例を示した。なお、操作対象機器は、この例に限定されない。また、設置場所についても、本実施形態は企業や店舗など様々な場所に適用することができる。
【００１９】
そして、リモートコントローラ１００は、無線通信装置３０を介してネットワーク１０（例えば家庭内ＬＡＮ）に接続される。また、操作対象機器もそれぞれネットワーク１０に接続される。各操作対象機器は、例えばＩＰアドレスなどによって、それぞれの機器が判別される。ここでＩＰアドレスはＬＡＮ等のプライベートネットワークのアドレスとして用いられる。
【００２０】
操作信号は、リモートコントローラ１００からネットワーク１０を介して各操作対象機器に送信され、操作対象機器は、操作信号に基づいて動作を実行する。また、機器の状態に関する情報は、各操作対象機器からネットワーク１０を介してリモートコントローラ１００に送信され、リモートコントローラ１００は、その機器状態情報に基づいて、操作対象機器の状態を画面に表示する。
【００２１】
次に、図２を参照して、本実施形態に係るリモートコントローラ１００の構成を説明する。図２は、本実施形態に係るリモートコントローラ１００の構成を示すブロック図である。
【００２２】
リモートコントローラ１００は、例えば、制御部１０２と、メモリ１０４と、ストレージ１０６と、カードＩ／Ｆ１０８と、画像信号処理部１１０と、タッチパネル１１２と、表示制御部１２６と、無線通信部１３２などからなる。
【００２３】
制御部１０２は、例えば、例えばＣＰＵ（Central  Processing  Unit）である。制御部１０２は、プログラムによって演算処理装置及び制御装置として機能し、リモートコントローラ１００における上記各構成要素などを制御する。また、制御部１０２は、データ読み出し部の一例であり、ストレージ１０６や、メモリカード２０に記録されたマニュアルデータと、マニュアルの表示内容に対応した操作信号データを読み出す。
【００２４】
マニュアルデータとは、機器の取り扱い説明が記録された文書データや図表データからなる電子データである。また、操作信号データは、機器を動作させるための各種操作信号からなり、操作信号データにおいてテーブルデータ等で、それぞれの操作信号は、マニュアルに記載された内容と対応付けされている。あるいは、マニュアルデータの文字情報の少なくともいずれかが認識され、認識された内容に対応する操作信号が操作信号データから検出されるとしてもよい。
【００２５】
メモリ１０４は、例えば、ＲＡＭ（Random  Access  Memory）、ＲＯＭ（Read  Only  Memory）、キャッシュメモリなどの記憶部で構成されており、制御部１０２のＣＰＵの処理に関するデータ、ＣＰＵの動作プログラムなどを一時的に記憶する機能を有する。
【００２６】
ストレージ１０６は、例えばハードディスク、フラッシュメモリ等の不揮発性半導体メモリである。ストレージ１０６は、上述した各機器のマニュアルデータや、操作信号データを保持する。また、各機器の動作状態に関する情報や、各機器の動作状態と画面への表示内容が対応付けされた情報などからなる動作状態データを保持する。
【００２７】
カードＩ／Ｆ１０８は、メモリカード２０と接続され、各データをメモリカード２０から読み出す。読み出されたデータは、ストレージ１０６に記録されたり、直接制御部１０２で用いられたりする。例えば、メモリカード２０は機器ごとに用意される。そして、機器がネットワーク１０に新たに接続される際、メモリカード２０をリモートコントローラ１００に接続して、メモリカード２０から各機器特有のマニュアルデータ、操作信号データ、動作状態データをストレージ１０６に記録する。
【００２８】
画像信号処理部１１０は、画像信号を復号処理したり、復号処理した画像信号を信号処理したりする。画像信号処理部１１０は、画像信号について、表示部１２４の画素数に変換する解像度変換、輝度補正、色補正、ガンマ補正など各種所要の信号処理を実行する。
【００２９】
タッチパネル１１２は、タッチセンサー１２２と、表示部１２４などからなり、タッチセンサー１２２が接触を検知することで、ユーザーの操作を受け付ける。そして、タッチパネル１１２は、接触動作や接触位置に応じて、画面に表示された項目を選択したり、画面のスクロール、拡大又は縮小表示など表示を変化させたりする。
【００３０】
表示部１２４は、例えば、液晶方式などによる電子ペーパーである。電子ペーパーは、光を反射する素材が配置され、表示内容を電気的に並び替えることで反射する色が調整される。電子ペーパーは、例えば、表紙する内容が切り替わった場合のみ通電され、表示情報を書き換える。書き換え後、次に書き換え要求が発生するまでは、通電されない。
【００３１】
電子ペーパーを用いることで、リモートコントローラ１００の消費電力を抑制することができる。表示部１２４は、表示制御部１２６によって制御される。表示部１２４は、データのタイトルなどを表示するメニュー画面や、各機器のマニュアルなどを表示する。表示制御部１２６は、入力された画像信号を利用して表示部１２４を駆動する。これによって、表示部１２４の画面には、画像信号に応じた画像が表示される。
【００３２】
タッチセンサー１２２は、表示部１２４の画面上に重畳して設けられる面状の透明部材であり、ユーザーの指やスタイラスペンなどによる接触や、接触位置を検出する。タッチセンサー１２２によって検出した接触位置と、表示部１２４に表示される画面の内容とは対応付けされる。タッチパネル１１２の構成、動作方式には、抵抗膜方式、静電容量方式などがある。タッチパネル１１２は、通常の技術で実現可能な構成とすることができ、ここでは詳細な説明は省略する。
【００３３】
タッチパネル１１２は、接触位置などに基づいて操作信号を生成し、生成した操作信号を制御部１０２に送る。例えば、タッチパネル１１２は、ユーザーからの操作を受け付け、画面に表示されたマニュアルの表示項目の少なくとも１つが選択されたとき、選択された表示項目に対応する操作信号を上述した操作信号データに基づいて生成する。
【００３４】
無線通信部１３２は、例えば無線通信装置３０との無線通信を確立する。そして、無線通信部１３２は、送信部の一例であり、操作信号を無線通信装置３０、ネットワーク１０を介して各操作対象機器に送信する。また、無線通信部１３２は、受信部の一例であり、ネットワーク１０、無線通信装置３０を介して機器状態情報を各操作対象機器から受信する。
【００３５】
次に、図３及び図４を参照して、本実施形態に係るリモートコントローラ１００の外観及び画面の表示例、表示に対応する機器の動作例を説明する。図３及び図４は、本実施形態に係るリモートコントローラ１００を示す正面図である。
【００３６】
リモートコントローラ１００は、例えば板状の装置であり、タッチパネル１１２が一面に設けられる。タッチパネル１１２は、マニュアルを全画面表示してもマニュアル上の文字を判別可能な大きさで表示できる画面を有する。図３に示す例では、画面上にマニュアルのタイトル１５１と、マニュアルの目次１６１と、各機器を選択するためのボタン１５２ａ、１５２ｂ、１５２ｃ、１５２ｄ、１５２ｅが表示されている。マニュアル上の文字は選択可能に表示され、例えば、目次のうち１項目が選択されると、図４に示すようにリンク付けされたページが次に表示される。また、ボタン１５２ａ、１５２ｂ、１５２ｃ、１５２ｄ、１５２ｅのうち、１つのボタンがユーザーによって選択されると、そのボタンに対応する機器のマニュアルが表示される。図３及び図４に示す例では、エアコンが選択されている。
【００３７】
また、図４に示す例では、マニュアル内の任意のページ１６２が表示されている。そして、マニュアル上の文字や図表が選択されることによって、対応付けされた操作信号が生成される。これにより、希望する動作を機器に簡単に実行させることができる。例えば、図４に示す例では、「人のいるエリアを設定して空調する」という取り扱い説明のページが開かれている。従来、ユーザーは、マニュアルに記載された操作方法を読んで、それにならって操作を行う必要があった。一方、本実施形態によれば、マニュアル上の文字や図表が操作信号と対応付けられているため、文字や図表を選択するだけで、ユーザーが希望する動作を機器に実行させることができる。図４に示す例では、マニュアルに「設置例と風向き」の図表が示されているが、設置例と風向きの１つの例（例えば図４のＡ）をユーザーが選択することで、選択された図表のとおりに機器に動作を開始させることができる。
【００３８】
（一実施形態の動作）
次に、本実施形態に係るリモートコントローラ１００の動作について説明する。まず、図５を参照して、マニュアルデータなどの読み込み処理について説明する。図５は、本実施形態に係るリモートコントローラ１００の動作を示すフローチャートである。
【００３９】
まず、メモリカード２０がリモートコントローラ１００に接続される（ステップＳ１０１）。例えば、操作対象機器がネットワーク１０に新たに接続される際、メモリカード２０をリモートコントローラ１００に接続する。そして、制御部１０２が、メモリカード２０に記録された機器特有のマニュアルデータ、操作信号データ、動作状態データを読み込む（ステップＳ１０２）。
【００４０】
その後、読み込まれたマニュアルデータなどは、内蔵されたストレージ１０６に書き込まれる（ステップＳ１０３）。その結果、メモリカード２０がリモートコントローラ１００に接続されていない場合でも、マニュアルを表示したり、操作信号を生成したりすることができる。マニュアルデータなどの読み込み及び書き込みが完了したとき、表示部１２４に書き込みが完了した旨を表示して（ステップＳ１０４）、一連の動作を終了する。
【００４１】
次に、図６を参照して、操作対象機器を動作させるとき、及び操作対象機器の状態を表示するときのリモートコントローラ１００の処理動作を説明する。図６は、本実施形態に係るリモートコントローラ１００の動作を示すフローチャートである。
【００４２】
まず、ユーザーによってタッチパネル１１２が接触されることによって、通電が開始され、表示が開始される（ステップＳ１１１）。画面には、リモートコントローラ１００によって操作することが可能な複数の機器が表示される。そして、ユーザーによって、操作対象とする機器が選択される（ステップＳ１１２）。機器が選択されると、選択された機器に対応したマニュアルを画面に表示する（ステップＳ１１３）。このとき、例えばマニュアルの目次が表示される。
【００４３】
そして、ユーザーによって、選択可能になった項目が選択されると（ステップＳ１１４）、その項目に対応するページが画面に表示される（ステップＳ１１５）。また、ページめくりに対応する項目が選択されるとページが送られたり、任意のページに飛んだりする。
【００４４】
ユーザーが任意のページにおいて表示された内容に対応する操作を希望する場合、ページ上でその内容が選択されると（ステップＳ１１６）、リモートコントローラ１００は内容に対応する操作信号を送信する（ステップＳ１１７）。その結果、操作信号が操作対象機器に到達したとき、機器は操作信号に対応した動作を実行する。
【００４５】
また、リモートコントローラ１００は、ネットワーク１０に接続されている１又は複数の機器から機器状態情報を受信する（ステップＳ１１８）。そして、例えば機器からの認証コードに基づいて認証処理を行なう（ステップＳ１１９）。認証処理によって、機器のリモートコントローラ１００へのアクセスが承認されたか否かを判定する（ステップＳ１２０）。この認証処理によって、機器状態情報を送信している機器がリモートコントローラ１００にアクセス権限があるか否かを判断することができる。
【００４６】
リモートコントローラ１００へのアクセスが承認された場合は、受信した機器状態情報に基づいて、リモートコントローラ１００の画面に機器の状態を表示する（ステップＳ１２１）。一方、リモートコントローラ１００へのアクセスが承認されなかった場合は、リモートコントローラ１００の画面にエラー表示する（ステップＳ１２２）。又は、全く表示を行なわなくてもよい。
【００４７】
次に、図７を参照して、リモートコントローラ１００からの操作信号を受けて操作対象機器が動作するとき、及び操作対象機器の状態をリモートコントローラ１００に送信するときの操作対象機器の処理動作を説明する。図７は、本実施形態に係る操作対象機器の動作を示すフローチャートである。
【００４８】
まず、図６で示したリモートコントローラ１００のステップＳ１１７の動作に対応して、機器は、操作信号を受信する（ステップＳ１３１）。このとき、例えばリモートコントローラ１００からの認証コードに基づいて認証処理を行なう（ステップＳ１３２）。認証処理によって、リモートコントローラ１００の操作対象機器へのアクセスが承認されたか否かを判定する（ステップＳ１３３）。この認証処理によって、機器が受信した操作信号は、機器へのアクセス権限のあるリモートコントローラ１００からの信号であるか否かを判断することができる。また、信号を受信した機器は、他の機器への操作信号であるか、又は自分への操作信号であるか否かを判断することができる。
【００４９】
機器へのアクセスが承認された場合は、機器は操作信号に基づいて動作を実行する（ステップＳ１３４）。一方、機器へのアクセスが承認されなかった場合は、動作の実行処理は行なわれない。
【００５０】
また、機器は、内部の動作状態（電源、運転状況、エラー状況等）を確認している（ステップＳ１３５）。そして、機器は、動作状態に基づいて、機器状態情報をリモートコントローラ１００に送信する（ステップＳ１３６）。これに対応して、リモートコントローラ１００は、図６のステップＳ１１８以降の動作を実行する。
【００５１】
（本実施形態のデータ構造）
次に、本実施形態の遠隔制御システムで用いられるデータのデータ構造の一例について説明する。図８は、本実施形態に係るデータ構造の一例を示す説明図である。
【００５２】
まず、個々の操作対象機器特有の情報を送受信する場合のデータについて説明する。図８（Ａ）は、個々の操作対象機器特有の情報を有するデータに関するデータ構造である。
【００５３】
図８（Ａ）に示すデータは、例えば、操作対象機器特有のメモリカード２０からリモートコントローラ１００のストレージ１０６に移行するデータである。例えば、操作対象機器がネットワーク１０に新たに接続される際、メモリカード２０をリモートコントローラ１００に接続して移行するデータである。又は、操作対象機器がこれらのデータを保持しており、操作対象機器がネットワーク１０に初めて接続されたとき、ネットワーク１０を介してリモートコントローラ１００にデータが移行してもよい。
【００５４】
このデータには、例えば、メーカＩＤ、メーカ名、機器ＩＤ、機器名、マニュアルデータ、操作信号データ（コード）、状態通知情報（コード）が含まれている。メーカＩＤ、メーカ名、機器ＩＤ、機器名は、機器を特定する情報である。マニュアルデータは、機器の取り扱い説明等が記載されている。マニュアルデータは、文書データ、図表データなどからなり、画面に表示するためのレイアウトや素材に関する情報も含んでいる。
【００５５】
操作信号データ（コード）は、操作信号データの一例であり、機器を動作させるための操作信号に関する情報である。操作信号データ（コード）は、画面上にマニュアルを表示したときの選択可能な文字やボタンの配置と、それらの文字やボタンがユーザーによって選択されたときの操作信号の関係をテーブルデータ等で有する。
【００５６】
状態通知情報（コード）は、機器が内部の動作を確認して、リモートコントローラ１００に機器の状態を通知するときの情報である。例えば、状態通知情報（コード）は、機器がリモートコントローラ１００に動作状態を通知するための通知信号と、通知信号に基づいて動作状態を画面に表示するための表示内容を有する。
【００５７】
次に、リモートコントローラ１００が操作対象機器に操作信号を送信するときのデータについて説明する。図８（Ｂ）は、リモートコントローラ１００が操作対象機器に操作信号を送信するときのデータに関するデータ構造である。
【００５８】
このデータには、例えば、メーカＩＤ、機器ＩＤ、認証コード、操作信号が含まれている。メーカＩＤ、機器ＩＤは、操作信号がどの機器を動作させるための信号であるかを特定することができる。また、認証コードは、リモートコントローラ１００からの操作信号がアクセス権限のある信号であることを示す。操作信号は、ユーザーによって選択された項目に基づいて生成された信号であり、図８（Ａ）で示した操作信号データ（コード）から抽出されて生成される。
【００５９】
更に、操作対象機器がリモートコントローラ１００に動作状態を送信するときのデータについて説明する。図８（Ｃ）は、操作対象機器がリモートコントローラ１００に動作状態情報を送信するときのデータに関するデータ構造である。
【００６０】
このデータには、例えば、メーカＩＤ、機器ＩＤ、認証コード、通知信号が含まれている。メーカＩＤ、機器ＩＤは、どの機器からの状態情報であるかを特定することができる。また、認証コードは、機器からの通知信号がリモートコントローラ１００へのアクセス権限がある信号であることを示す。通知信号は、機器の動作状態に基づいて生成された信号であり、図８（Ａ）で示した状態通知情報に含まれる情報と同一種類の信号である。
【００６１】
上述した通り、本実施形態によれば、操作対象機器毎のマニュアルがリモートコントローラ１００に表示され、ユーザーが選択した表示項目に対応した操作信号が機器に送信される。そのため、ユーザーはマニュアルを読んで複雑な操作を行なう必要はなく、機器を簡単かつ迅速に動作させることができる。
【００６２】
また、本実施形態のリモートコントローラ１００は、電子ペーパーが用いられることで消費電力を抑制することができる。そして、リモートコントローラ１００はタッチパネル１１２が用いられることで、ユーザーが直感的にリモートコントローラ１００を操作することができる。更に、リモートコントローラ１００は、機器の動作状態も表示することができ、ユーザーは機器が現在どのように動作しているか、エラーが発生していないかを確認することができる。
【００６３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００６４】
【図１】本発明の一実施形態に係る遠隔制御システムの構成を示す説明図である。
【図２】同実施形態に係るリモートコントローラの構成を示すブロック図である。
【図３】同実施形態に係るリモートコントローラを示す正面図である。
【図４】同実施形態に係るリモートコントローラを示す正面図である。
【図５】同実施形態に係るリモートコントローラの動作を示すフローチャートである。
【図６】同実施形態に係るリモートコントローラの動作を示すフローチャートである。
【図７】同実施形態に係る操作対象機器の動作を示すフローチャートである。
【図８】同実施形態に係るデータ構造の一例を示す説明図である。
【符号の説明】
【００６５】
１０      ネットワーク
２０      メモリカード
３０      無線通信装置
１００      リモートコントローラ
１０２      制御部
１０４      メモリ
１０６      ストレージ
１０８      カードＩ／Ｆ
１１０      画像信号処理部
１１２      タッチパネル
１２２      タッチセンサー
１２４      表示部
１２６      表示制御部
１３２      無線通信部
【図１】
2010154273.tif 000003
【図２】
2010154273.tif 000004
【図３】
2010154273.tif 000005
【図４】
2010154273.tif 000006
【図５】
2010154273.tif 000007
【図６】
2010154273.tif 000008
【図７】
2010154273.tif 000009
【図８】
2010154273.tif 000010